【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  磁気共鳴映像システムであって、
少なくとも１つの磁界を標本に印加するように構成された磁石と、
磁界および無線周波数パルスが、第１の時点での位置の関数または第１の時点の近傍の位置の関数に基づいて標本の磁化の位相にラベルづけするように構成され、標本に無線周波数パルスを印加するように構成された無線周波数送信機と、
標本からの磁気共鳴信号を検出する無線周波数受信機と、
画像が、第１の時点の後に続く混合時間に蓄積された標本の磁化の位相の空間変動に基づく画像であり、磁気共鳴信号に基づいて標本の画像を生成するように構成されたプロセッサとを含む、磁気共鳴映像システム。
【請求項２】  無線周波数送信機が、位相ラベルづけされた磁化の一部を記憶軸に沿って記憶する無線周波数パルスを生成するように構成される、請求項１記載の磁気共鳴映像システム。
【請求項３】  位相ラベルづけ式変位撮像において磁気共鳴画像に対する自由誘導減衰寄与を低減させる方法であって、
時間間隔を選択する段階、
時間間隔内の時点で標本に無線周波数（RF）パルスを印加し、時点として、磁気共鳴信号に対する、自由誘導減衰からの寄与を低減させる時点を選択する段階を含む、方法。
【請求項４】  時点が、t2 = T1 ln[2/(1 + exp(-TM/T1)]になるように時間間隔を持続時間t1の第１の間隔と持続時間t2の第２の間隔とに分割し、T1が縦減衰時間であり、TM = t1 + t2である、請求項３記載の方法。
【請求項５】  持続時間t1の時間間隔の終了時に180°パルスを印加する段階をさらに含む、請求項４記載の方法。
【請求項６】  磁気共鳴によって標本の運動の写像を得る方法であって、
（a）関数f(r)に基づいて空間的に変動する位相を標本磁化に印可する段階、
（b）180°RFパルスを標本に印可する段階、
（c）関数f(r)に基づいて空間的に変動する位相とはおおよそ逆の空間的に変動する位相を標本磁化に印可する段階、
（d）空間的に変動する標本磁化の位相を測定する段階、
（e）測定された標本磁化の位相に基づいて標本画像を生成する段階、および
（f）(a)〜(e)の段階を繰り返す段階を含む、方法。
【請求項７】  画像が、測定された位相とラベルづけされた位相との差に基づく画像である、請求項６記載の方法。
【請求項８】  標本の磁化の縦成分Mzが、Mz = [m(r)eif(r) + m(r)e-if(r)]/2になるように位置の関数f(r)に基づいて位相ラベルづけされ、m(r)が位置の実関数であり、RFパルスと勾配パルスとの組合せを印加して縦成分Mzの少なくとも一部を、eif(r)に比例する横成分Mxyに変換する段階をさらに含む、請求項７記載の方法。
【請求項９】  RFパルスを印加し、それぞれ[eif(r) + e-if(r)]および[eif(r) - e-if(r)]/(2i)に比例する標本磁化の縦成分および横成分を生成する段階をさらに含む、請求項７記載の方法。
【請求項１０】  磁化の位相が、位置の複数の関数に基づいてラベルづけされる、請求項７記載の方法。
【請求項１１】  標本の磁化の横成分がm1(r)eif1(r) + m2(r)eif2(r) + ... + mN(r)eifN(r)に比例し、f1(r)、...、fN(r)が位置の関数であり、m1、...、mNが定数であり、Ｎが整数である、請求項10記載の方法。
【請求項１２】  可動軸を有する標本を磁気共鳴撮像する方法であって、
第１の時間における軸の位置を測定する段階、
第１の時間における軸の位置に対する標本の位置の関数として標本磁化に位相ラベルづけする段階、
第２の時間における軸の位置を測定する段階、
第２の時間における軸の位置に対する標本の位置の関数として、第２の時間における標本磁化の位相を測定する段階、ならびに
施された位相ラベルおよび測定された位相に基づいて標本の画像を生成する段階を含む、方法。
【請求項１３】  標本の変位に基づいて画像を生成する磁気共鳴映像法であって、
変位の方向を選択する段階、
選択された方向における変位に基づいて標本の磁化に位相ラベルづけする段階、および
磁化の位相の測定値から標本の画像を生成する段階を含む、方法。
【請求項１４】  選択された変位方向が、印可された一定の磁界の方向に対して半径方向である、請求項13記載の方法。
【請求項１５】  選択された変位方向が、印可された一定の磁界の方向と平行な軸に関する方位角である、請求項13記載の方法。
【請求項１６】  磁気共鳴撮像において位相符号化された変位データを得る方法であって、
少なくとも１つの180°無線周波数パルスを標本に印加する段階、
180°無線周波数パルスによって生成された誘導エコーおよび誘導アンチエコーに対応する信号を受信する段階、ならびに
信号を処理し、位相符号化された変位データを得る段階を含む、方法。
【請求項１７】  デュアル・エコー磁気共鳴映像法であって、
標本磁化に位相ラベルづけする段階、
位相ラベルづけされた磁化の少なくとも一部を縦軸に沿って記憶する段階、
記憶された磁化の少なくとも一部を横平面内に回転させる段階、
回転させた磁化にRFパルスと勾配パルスとの組合せを印加し、第１のエコーを生成する第１の復号された位相を有する磁化を生成する段階、
第１のエコーに基づいて第１の１組の画像データを得る段階、
RFパルスと勾配パルスの他の組合せを印加し、第１の復号された位相とは逆の第２の復号された位相を有する磁化に対応する第２のエコーを生成する段階、および
第２のエコーに基づいて第２の１組の画像データを得る段階を含む、方法。
【請求項１８】  第１および第２のエコーが単一の獲得窓内で得られる、請求項17記載の方法。
【請求項１９】  第１組および第２組の画像データを減算することによって第１組および第２組の画像データを有する画像を形成する段階をさらに含む、請求項17記載の方法。
【請求項２０】  磁気共鳴撮像法であって、
位相ラベルづけされた磁化の一部を、軸方向磁界によって定められた縦軸に沿った方向に回転させることによって、位相ラベルづけされた磁界を記憶する段階、
記憶された磁化の一部を横平面内に回転させる段階、
横平面内の記憶された磁化の少なくとも一部に勾配パルスを印加し、位相分散を補償する段階、および
磁化の縦成分の一部を横平面に回転させ、ラベルづけされた磁化の減衰を補償する段階を含む、方法。
【請求項２１】  心臓の変位の磁気共鳴撮像を行う方法であって、
変位の方向を選択する段階、
選択された変位方向に対応する位置の関数を与える段階、
初期時間における位置の関数を使用して心臓の磁化を位相変調する段階、
初期時間に印加された位相変調に対する磁化位相の変化に基づいて心臓の画像を形成する段階を含む、方法。
【請求項２２】  ひずみデータを表示する方法であって、
画像位置でのひずみの大きさをグレースケール値または色として表示する段階、および
画像位置でのひずみ軸を互いに直交する線分として表示する段階を含む、方法。
【請求項２３】  位相ラベルづけ式磁気共鳴撮像における位相ラップアラウンドを補正する方法であって、
位相の不連続性に対応する画像境界を見つける段階、および
位相の不連続性がなくなるように境界の一方の側の位相を調整する段階を含む、方法。